(57)【要約】【課題】確実な入力が可能となる信頼性の高い操作スイッチを備えた調理器を提供する。【解決手段】トッププレート５０上にガラス−金属接合された固定接点５５ａと、固定接点５５ａの上方位置に配置され同じくトッププレート５０にガラス−金属接合された可動接点５６ａと、配線５７ａ、５８ａ、配線孔対５９ａで構成し、操作スイッチ５１ａの操作の有無を制御手段６１で検知して、加熱手段６０のオン、オフ、加熱量の制御をする。【選択図】図２
2011081910.tif 000002
【特許請求の範囲】
【請求項１】
調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレートにガラス−金属接合された固定接点と、固定接点よりも上方位置に配置される可動接点とを備えた調理器。
【請求項２】
操作スイッチ群からの配線をトッププレート端側面を介して、制御手段まで接続し、トッププレート上の配線部分は、トッププレートを載置する金属フレームで覆った請求項１に記載の調理器。
【請求項３】
固定接点及び可動接点を薄肉のチタンで成形し、押し下げた時に接触する部分に導電性の高い金属を塗布して、耐久性を向上した請求項１または２に記載の調理器。
【請求項４】
固定接点及び可動接点を薄肉のアルミで成形し、押し下げた時に接触する部分以外に絶縁性を有する金属を塗布して、耐久性を向上した請求項１または２に記載の調理器。
【請求項５】
固定接点及び可動接点を薄肉のＳＵＳで成形し、押し下げた時に接触する部分以外に絶縁性を有する金属を塗布して、耐久性を向上した請求項１または２に記載の調理器。
【請求項６】
操作スイッチ内部の空気の熱膨張、及び、押し下げ時に体積減少を緩和する、水を通さない直径の空気抜き孔を可動接点側、もしくは固定接点側に形成した請求項１〜５のいずれか１項に記載の調理器。
【請求項７】
調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段とからなり、前記操作スイッチ群は前記トッププレート上面にガラス−金属接合された可動電極と、トッププレート下面に印刷された固定電極パターンとを備え、押し下げ操作前後の可動電極と固定電極間の静電容量の差を検出して、操作入力を行えるようにした調理器。
【請求項８】
可動電極を薄肉のチタンで成形し、電極部は導電性の高い金属を内側に塗布して、耐久性を向上した請求項７に記載の調理器。
【請求項９】
可動電極を薄肉のアルミで成形して、耐久性を向上した請求項７に記載の調理器。
【請求項１０】
可動電極を薄肉のＳＵＳで成形して、耐久性を向上した請求項７に記載の調理器。
【請求項１１】
操作スイッチ内部の空気の熱膨張、及び、押し下げ時に体積減少を緩和する、水を通さない直径の空気抜き孔を可動電極、もしくは固定電極側に形成した請求項７〜１０のいずれか１項に記載の調理器。
【請求項１２】
調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレート上面に磁性材料をガラス−金属接合した可動電極と、前記操作スイッチ群近傍のト
ッププレート下面に配置された磁気センサとを備え、鍋がずれた状態で置かれて可動電極が押し下げられた時の操作入力を、受け付け禁止とした調理器。
【請求項１３】
調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレート上面に磁性材料をガラス−金属接合した可動電極と、前記操作スイッチ群近傍のトッププレート下面に配置された照度センサとを備え、鍋以外の物体により可動電極が押し下げられた時の操作入力を、受け付け禁止とした調理器。
【発明の詳細な説明】
【技術分野】
【０００１】
本発明は、調理器の操作スイッチ装置に関するものである。
【背景技術】
【０００２】
従来、給湯器、洗濯機、クッキングヒータなどの家庭用電化機器には、これらの機器を操作するための操作スイッチが集中して取り付けられており、また、調理器においては防滴機能を有するパネル型の操作スイッチが備えられている（例えば、特許文献１参照）。
【０００３】
図５は、特許文献１に記載された従来の調理器のスイッチ操作装置の側断面図である。
【０００４】
図５に示すように、調理器本体の外殻１に設けられた操作パネル装着部６に、あらかじめ防水フィルム９を表面に一体成型した操作パネル５を接着し、内部の制御回路基板４上のプッシュスイッチ２を、スイッチ操作ボタン１４を介して操作ボタン部１０より操作することにより、内面への水密性が確保できるとともに、表面は滑らかな質感があり、調理時の熱にも充分耐えうる構成となっている。
【０００５】
この防水フィルム９は弾力性を有する電気絶縁材、例えば、ポリエチレンテレフタレート樹脂性のフィルムで、撓みをもたせて成形すれば、常時は中央部が弾発しており、押圧すると下方に反転し、押圧を解くと反転して元に復帰するため、プッシュスイッチ２のバネ力のみによるものより、明確なスナップ機能を有する。
【０００６】
また、機械的作動部分を必要とせず、操作感が軽快で、機密性をより高くした静電容量式や光学式の加熱調理器も知られている（例えば、特許文献２参照）。
【０００７】
また、タクトスイッチと呼ばれる４ｍｍ以下の極小の反転可動接点を有するスイッチ部品も知られている（例えば、特許文献３参照）。
【０００８】
図６は、特許文献２に記載された（ａ）従来の加熱調理器の本体斜視図（ｂ）従来の加熱調理器の操作部の断面図である。
【０００９】
図６に示すように、誘導加熱式の調理部２４，２５を、トッププレート２２上において使用者が調理を行う手前側左右に配置し、ヒータ加熱式の調理部２６を中央奥側に配置する。これらの加熱調理部２４，２５及び２６に対応する操作・表示部２７，２８及び２９を加熱調理部２４，２５及び２６の手前側に設けて、その接触部２７ａ，２８ａ及び２９ａをプレート２２の表面側から使用者が接触することにより、プレート２２の下方に配置された静電容量式のスイッチ４３が操作可能となるように構成されている。
【００１０】
静電容量式のスイッチ４３は、操作回路基板４２上に銅泊で形成された平面状電極４３ａ（図示せず）と、この平面状電極４３ａの周囲を取り囲むシールド用電極４３ｂ（図示せず。操作スイッチ４３の接触範囲を確定するために設けられ、アースされている）とで構成されている。
【００１１】
操作手段が存在する位置に対応する強化ガラス製のプレートの表面に直接、スイッチ機能を配することができると共に、操作子、操作釦などの突起物が無い平面状にすることができ、清掃などがより容易となるものである。
【先行技術文献】
【特許文献】
【００１２】
【特許文献１】特開平６−２０９８４９号公報
【特許文献２】特開平１０−２１４６７７号公報
【特許文献３】特許第３２４７４９６号公報
【発明の概要】
【発明が解決しようとする課題】
【００１３】
しかしながら、前記従来の調理器の構成では、防水フィルムを一体成型した操作パネルや、抵抗被膜方式のタッチパネルでは、フィルム材料の耐熱温度の制限から、調理中に高温（炒め物時は最高３５０℃）となった鍋を直置きすることはできない。
【００１４】
また、静電容量式のスイッチでは、プレート上に調味液や水が大量にこぼされた場合にも、操作入力ありと誤って受け付けるという課題を有していた。
【００１５】
また、光学式のスイッチでは、人指以外の反射物体、例えば、布巾や紙といったものが、キースイッチ操作面に誤って置かれた場合にも、操作入力ありと誤って受け付けるという課題を有していた。
【００１６】
本発明は、前記従来の課題を解決するもので、確実な操作入力が可能となる信頼性の高い操作スイッチを有した調理器を提供することを目的とする。
【課題を解決するための手段】
【００１７】
前記従来の課題を解決するために、本発明の調理器は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段とからなり、前記操作スイッチ群は前記トッププレートにガラス−金属接合された固定接点と、固定接点よりも上方位置に配置される可動接点とを備えたものである。
【００１８】
これによって、スイッチの押圧操作により加熱手段の開始及び停止、火力調整を行うことが可能となり、信頼性の高い調理器とすることができる。
【００１９】
また、本発明の調理器は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段とからなり、前記操作スイッチ群は前記トッププレート上面にガラス−金属接合された可動電極と、トッププレート下面に印刷された固定電極パターンとを備え、押し下げ操作前後の可動電極と固定電極間の静電容量の差を検出して、操作入力を行えるようにしたものである。
【００２０】
これによって、トッププレート上から制御手段までの配線が省け、コストダウンが図れると共に、防汚性、耐久性を向上した調理器となる。
また、本発明の調理器は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレート上面に磁性材料をガラス−金属接合した可動電極と、前記操作スイッチ群近傍のトッププレート下面に配置された磁気センサとを備え、鍋以外の物体による可動電極の押し下げ操作を検出し、操作入力を行えるようにしたものである。
【００２１】
これによって、大きな鍋を操作スイッチ群の上にずらして置かれた時に、誤って、スイッチを受け付けるこのもなく、信頼性の高い調理器とすることができる。
【００２２】
また、本発明の調理器は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレート上面に磁性材料をガラス−金属接合した可動電極と、前記操作スイッチ群近傍のトッププレート下面に配置された照度センサとを備え、鍋で操作スイッチ群が覆われていない状態での可動電極の押し下げ操作を検出して、操作入力を行えるようにしたものである。
【００２３】
これによって、大きな鍋を操作スイッチ群の上にずらして置かれた時や、鍋以外の物を置かれた時に、誤って、スイッチを受け付けることもなく、信頼性の高い調理器とすることができる。
【発明の効果】
【００２４】
本発明の調理器は、クリック感を有する操作スイッチをトッププレート上に構成することが可能となると共に、水や調理時の吹きこぼれ物が触れただけでは加熱されない、操作が確実で信頼性の高い調理器とすることができる。
【図面の簡単な説明】
【００２５】
【図１】本発明の実施の形態１における調理器の平面図
【図２】（ａ）本発明の実施の形態１における調理器の要部断面図（ｂ）本発明の実施の形態１における操作スイッチの可動接点と固定接点の斜視図
【図３】（ａ）本発明の実施の形態２におけるシステムキッチン組込型調理器の要部断面図（ｂ）本発明の実施の形態２におけるシステムキッチン組込型調理器のトッププレートと固定用金具フレームの斜視図
【図４】（ａ）本発明の実施の形態３における調理器の要部断面図（ｂ）本発明の実施の形態３における調理器の操作スイッチの斜視図
【図５】従来の調理器のスイッチ操作装置の側断面図
【図６】（ａ）従来の加熱調理器の本体斜視図（ｂ）従来の加熱調理器の操作部の断面図
【図７】本発明の第４の実施の形態における調理器の要部断面図
【図８】本発明の第５の実施の形態における調理器の要部断面図
【発明を実施するための形態】
【００２６】
第１の発明は、調理器の外郭を構成する本体と、前記本体の上面に設けたトッププレートと、前記トッププレートの下方の本体内に設けた加熱手段と、前記トッププレート上に複数配置された操作スイッチ群と、前記操作スイッチ群の押下操作により、前記加熱手段のオン、オフ、火力調整を行う制御手段とからなり、前記操作スイッチ群は前記トッププレートにガラス−金属接合された固定接点と、固定接点よりも上方位置に配置される可動接点とを備えたことにより、クリック感を有しつつ、突起物が無い平面に近く、清掃などがより容易で、且つ、調理で高温（炒め物時は最高３５０℃）となった鍋を直置きすることもできる操作部にすることができる。
【００２７】
第２の発明は、特に、第１の発明の操作スイッチ群からの配線をトッププレート端側面を介して、制御手段まで接続し、トッププレート上の配線部分は、トッププレートを載置する金属フレームで覆うことにより、防水性、防汚性、耐ノイズ性を向上することができる。
【００２８】
第３の発明は、特に、第１の発明の固定接点及び可動接点を薄肉のチタンで成形し、押し下げた時に接触する部分に導電性の高い金属を塗布して、耐久性を向上したものである。
【００２９】
第４の発明は、特に、第１の発明の固定接点及び可動接点を薄肉のアルミで成形し、押し下げた時に接触する部分以外に絶縁性を有する金属を塗布して、耐久性を向上したものである。
【００３０】
第５の発明は、特に、第１の発明の固定接点及び可動接点を薄肉のＳＵＳで成形し、押し下げた時に接触する部分以外に絶縁性を有する金属を塗布して、耐久性を向上したものである。
【００３１】
第６の発明は、特に、第１〜第５のいずれか１つの発明の操作スイッチ内部の空気の熱膨張、及び、押し下げ時に体積減少を緩和する、水を通さない直径の空気抜き孔を可動接点、もしくは固定接点側に形成したことにより、よりクリック感が出やすくすることができる。
【００３２】
第７の発明は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段とからなり、前記操作スイッチ群は前記トッププレート上面にガラス−金属接合された可動電極と、トッププレート下面に印刷された固定電極パターンとを備え、押し下げ操作前後の可動電極と固定電極間の静電容量の差を検出して、操作入力を行えるようにすることにより、トッププレート上から制御手段までの配線が省け、コストダウンが図れると共に、防汚性、耐久性が向上した調理器とすることができる。
【００３３】
第８の発明は、特に、第７の発明の可動電極を薄肉のチタンで成形し、電極部は導電性の高い金属を内側に塗布して、耐久性を向上したものである。
【００３４】
第９の発明は、特に、第７の発明の可動電極を薄肉のアルミで成形して、耐久性を向上したものである。
【００３５】
第１０の発明は、特に、第７の発明の可動電極を薄肉のＳＵＳで成形して、耐久性を向上したものである。
【００３６】
第１１の発明は、特に、第７〜第１０のいずれか１つの発明の操作スイッチ内部の空気の熱膨張、及び、押し下げ時に体積減少を緩和する、水を通さない直径の空気抜き孔を可動電極側、もしくは固定電極側に形成したものである。
【００３７】
第１２の発明は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレート上面に磁性材料をガラス−金属接合した可動電極と、前記操作スイッチ群近傍のトッププレート下面に配置された磁気センサとを備え、大きな鍋が加熱領域（加熱コイル上）からずれた状態で置かれて、誤って可動電極が押し下げられた時の操作入力を、受け付け禁止とすることにより、信頼性の高い調理器とすることができる。
【００３８】
第１３の発明は、調理器の外郭を構成する本体と、前記本体の上面に設けたトッププレートと、前記トッププレートの下方の本体内に設けた加熱手段と、前記トッププレート上に複数配置されたクリック感を有する操作スイッチ群と、前記操作スイッチ群の押下操作により、前記加熱手段のオン、オフ、火力調整を行う制御手段からなり、前記操作スイッチ群は前記トッププレート上面に磁性材料をガラス−金属接合した可動電極と、前記操作スイッチ群近傍のトッププレート下面に配置された照度センサとを備え、鍋以外の物体により可動電極が押し下げられた時の操作入力を、受け付け禁止とすることにより、信頼性の高い調理器とすることができる。
【００３９】
以下、本発明の実施の形態について、図面を参照しながら説明する。なお、この実施の形態によって本発明が限定されるものではない。
【００４０】
（実施の形態１）
図１は本発明の第１の実施の形態における調理器の平面図、図２（ａ）は本発明の第１の実施の形態における調理器の要部断面図、図２（ｂ）は本発明の第１の実施の形態における操作スイッチの可動接点と固定接点の斜視図である。
図１、図２において、外郭を構成する本体４９の上面に被加熱物を載置する透光性の耐熱強化ガラス等からなるトッププレート５０が設けられ、トッププレート５０上には、操作スイッチ群５１と、加熱電力量の表示手段５２を有している。
【００４１】
操作スイッチ群５１の操作面には調理器の制御内容を示す絵柄（アイコン）が印刷されており、使用者はこの中の一つのアイコンを選んで、指５４で押し下げることで調理器を操作するものである。
【００４２】
この操作スイッチ群５１は、ダウンスイッチ５１ａ、加熱入／切スイッチ５１ｂ、アップスイッチ５１ｃを備えており、それぞれのスイッチは、トッププレート５０上にガラス−金属接合された固定接点５５ａ〜５５ｃと、固定接点５５ａ〜５５ｃの上方位置に配置され同じくトッププレート５０にガラス−金属接合された可動接点５６ａ〜５６ｃと、配線５７ａ〜５７ｃ、配線５８ａ〜５８ｃ、配線孔対５９ａ〜５９ｃで構成している。
【００４３】
また、本実施の形態においては、操作スイッチ群５１のダウンスイッチ５１ａ、加熱入／切スイッチ５１ｂ、アップスイッチ５１ｃのそれぞれのスイッチの接点構成は同じであり、それぞれのスイッチに対応する配線５７ａ、５７ｂ、５７ｃ、配線５８ａ、５８ｂ、５８ｃ、配線孔対５９ａ、５９ｂ、５９ｃの構成もそれぞれ同じである。
【００４４】
したがって、図２においては、ダウンスイッチ５１ａに関し、固定接点５５ａ、可動接点５６ａ、配線５７ａ、配線５８ａ、配線孔対５９ａについて記載しており、他の加熱入／切スイッチ５１ｂ、アップスイッチ５１ｃについての記載は省略している。
【００４５】
また、トッププレート５０の下部には加熱コイル（図示せず）と、加熱コイルへ高周波電流を供給するインバータ（図示せず）からなる加熱手段６０と、操作スイッチ群５１のダウンスイッチ５１ａ、加熱入／切スイッチ５１ｂ、アップスイッチ５１ｃの操作の有無を検知して、加熱手段６０のオン、オフ、加熱量の制御をする制御手段６１とが設けられている。
以上のように構成された調理器について、以下その動作、作用を説明する。
【００４６】
まず、加熱入／切スイッチ５１ｂを押し下げると、制御手段６１が加熱手段６０を制御して、（図示していない）加熱コイルへインバータから高周波電流を供給して、加熱コイルから誘導磁界が発せられ、トッププレート５０の加熱領域５３上に裁置された鍋等の被加熱物が誘導加熱される。
【００４７】
この誘導加熱によって鍋等の被加熱物内の調理物の温度も上昇し、調理が行われる。ダウンスイッチ５１ａ及びアップスイッチ５１ｃは、加熱コイルへ供給する高周波電流を増減して、調理中の加熱量を適宜調整するために用いる。
【００４８】
なお、可動接点５６ａは、薄肉の金属材料、例えば、チタン、アルミ、又は、ＳＵＳで成形して弾性を持たせ、押し下げ操作時のクリック感、もしくは押し込み感を使用者が感じられるようにしている。
【００４９】
また、可動接点５６ａの下側の固定接点５５ａと押し下げ時に接触する部分、及び、配線５７ａ、配線〜５８ａまでの経路には導電性の高い異種の金属を塗布（或いは蒸着）して、接触抵抗が経年変化等により劣化しないようにして、安定して接点としての機能をするようにしている。
【００５０】
このように、トッププレート５０に直接、ガラス−金属接合することにより、トッププレート５０から可動接点５６ａの最頂点までの高さを１〜２ｍｍ程度に低くすることが可能となり、突起物が少ない概平面状の操作部とすることができる。
【００５１】
従って、清掃などが容易となると共に、調理中に高温となった鍋を直置きすることも可能となる。
【００５２】
また、水や調理時の吹きこぼれ物が触れただけでは加熱されないため、操作が確実で信頼性の高い調理器とすることができるものである。
【００５３】
なお、熱膨張係数のほぼ一致した異種金属、あるいは金属とセラミックスやガラスを直接接合する各種の技術（ダイレクト封着接合法、陽極接合法、摩擦接合法、パルス通電接合法など）は既に確立されおり、専門メーカーより提供されている。
【００５４】
これらの技術による接合では、ガラスと金属とを、他の金属を間に介在させることなく接合することが可能であるため、ガラスあるいは金属本来の耐熱性を損なうことはなく、精度、強度も高い。
【００５５】
接合界面にのみ溶融させて接合させる接合法では、接合温度もガラスの結晶化温度以下で、接合時間も数秒と短く、十分に量産にも対応できる。
【００５６】
また、金属コバールとコバールガラス等の接続物を介在させて接合する技術はそれ以前に公知であるが、トッププレート面積が広く、厚みが大きいため、均一な接合を行うには技術的に困難を伴うものであるとともに、コスト面でも直接接合法に劣る。
【００５７】
なお、接合に替え、接着する工法も考えられるが、耐久性を考慮すると接合による工法の方が優れているのは明らかである。
【００５８】
また、配線孔対５９ａはトッププレート５０の強度を低下させないように、直径３ｍｍ以下とすることが望ましい。
【００５９】
なお、可動接点を押し下げるストロークが数ｍｍの場合は、固定接点５５ａの中央に、配線孔対５９ａと同径以下の空気抜き孔（図示せず）を開けておくことにより、スムーズな操作感を持たせることができる。
【００６０】
また、押し下げるストロークを数百μｍ程度に低背化した場合には、固定接点との空間
に存在する気体の量は少ないので、空気抜き孔は必ずしも必要ではない。また、封入する気体を熱膨張率が少なく、腐食性の少ないアルゴン等にすれば、さらに望ましい操作性、耐久性を持った調理器とすることができる。
【００６１】
以上のように、本実施の形態では、押し圧感を持たせた操作入力が行えるとともに、操作部の汚れに対しても強く、信頼性の高いものとすることができる。
【００６２】
（実施の形態２）
図３（ａ）は、本発明の第２の実施の形態におけるシステムキッチン組込型調理器の要部断面図。図３（ｂ）は本発明の第２の実施の形態におけるシステムキッチン組込型調理器のトッププレートと固定用金属フレームの斜視図である。
【００６３】
なお、第１の実施の形態における調理器と同一部分については、同一符号を付してその説明を省略する。
【００６４】
なお、操作スイッチ群６６、６７、６８の構成はそれぞれ同じであり、図３（ａ）においては、図３（ａ）では操作スイッチ群６６のダウンスイッチの要部断面図を示したものである。
【００６５】
図３（ａ）（ｂ）において、トッププレート５０を固定する金属製の固定用金属フレーム６２、トッププレート５０上に印刷された加熱可能領域を示す加熱エリア６３、６４、６５、３つの加熱領域に対応した操作スイッチ群６６、６７、６８及び加熱量表示手段７６、７７、７８、固定接点７２ａからの配線６９ａ、可動接点７５ａからの配線７１ａで構成している。
【００６６】
配線６９ａと配線７１ａの両者は接することのないような形状、すなわち、配線６９ａ、を通す部分だけ、配線７１ａに切り欠け部を設けてある。（平面図は図示せず。図３要部断面図では配線の経路を強調するために、模式的に両者を分離して記述してあるが、実際の断面図では奥行き方向に重なって見える。）
さらに、３つの加熱コイル（図示せず）に高周波電流を供給する加熱手段８０ａ、８０ｂ、８０ｃ、操作スイッチ群６６、６７、６８の操作の有無を検知して、加熱手段８０ａ、８０ｂ、８０ｃのオン、オフ、加熱量の制御をする制御手段８１を備えている。
【００６７】
操作スイッチ群６６は、ダウンスイッチ６６ａと、入／切スイッチ６６ｂと、アップスイッチ６６ｃからなり、制御手段８１に接続され、加熱手段８０ａの加熱を制御することができる。
【００６８】
操作スイッチ群６７は、同じく制御手段８１に接続され、加熱手段８０ｂの加熱を制御をする。
【００６９】
操作スイッチ群６８は、加熱手段８０ｃの加熱を制御をする。
【００７０】
本実施の形態では、操作スイッチ群６６〜６８から、制御手段８１ａ〜８１ｃへの配線６９ａ〜６９ｃと、配線７１ａ〜７１ｃをトッププレート５０端側面を経由して接続することにより、配線孔対が不要となり、より安価な調理器とすることが可能となる。
【００７１】
さらに、トッププレート５０上の配線部分を、酸化被膜等の絶縁物を介して、トッププレート５０を固定する固定用金属フレーム６２で覆うことにより、防水性、防汚性、耐ノイズ性を向上させることもできる。
【００７２】
以上のように、本実施の形態では、押し圧感を持たせた操作入力が行えるとともに、操作部の汚れに対しても強く、信頼性の高いものである。
【００７３】
（実施の形態３）
図４（ａ）は、本発明の第３の実施の形態における調理器の要部断面図である。（ｂ）は本発明の第３の実施の形態における調理器の操作スイッチの斜視図である。
【００７４】
なお、第１の実施の形態における調理器と同一部分については、同一符号を付してその説明を省略する。
【００７５】
図４（ａ）、（ｂ）において、操作スイッチ群８４はトッププレート５０上部にガラス−金属接合された可動電極８７ａと、トッププレート５０下部に印刷された固定電極８９ａ、遮蔽電極９０ａと、静電容量変化検出回路９１と、制御手段８０ａ、加熱手段９２とで構成されている。
以上のように構成された調理器について、以下その動作、作用を説明する。
【００７６】
使用者が指５４により、操作スイッチ８７ａ，８７ｂ，８７ｃのいずれかを押し下げると、押し下げられた可動電極と対向する固定電極間との静電容量の変化分が大きくなり、静電容量検出部９１は操作されたことを検出する。
【００７７】
そして、制御手段８０ａへ該当する操作スイッチのオン・オフ状態の信号を出力する。制御手段８０ａは、この信号を入力して、加熱手段９２のオン／オフ、及び、加熱量の制御をする。
【００７８】
図４（ｂ）操作スイッチの斜視図に示すように、ダウンスイッチ８７ａ、入／切スイッチ８７ｂ、アップスイッチ８７ｃは金属薄膜をプレス成形したものをガラス−金属接合によりトッププレート５０に接合しており、各スイッチに対向する固定電極８９ａ、８９ｂ、８９ｃと、遮蔽電極９０ａ、９０ｂ、９０ｃがトッププレート５０下面に印刷されている。
【００７９】
図４（ａ）に示すように、ダウンスイッチ８７ａを押し下げると、可動電極８７ａと対向する固定電極８９ａとの間隔が近づくため、その間の静電容量Ｃｓｗが増加する。
【００８０】
人体は対地間容量Ｃｇを持ち、各電極、静電容量検出部９１、配線もそれぞれ対地間容量を持っており、これらがＣｓｗに対して直列の容量として入る。ここでＣｓｗに対して直列に入る容量が十分大きければ検出容量の変化はＣｐあるいは、ＣｓｗとＣｇの直列容量になり、操作の有無を検出することが可能となる。
【００８１】
以上のように、本実施の形態では、突起物が少ない概平面状の操作部とすることができる。従って、清掃などが容易となると共に、調理中に高温となった鍋を直置きすることも可能となる。また、水や調理時の吹きこぼれ物が触れただけでは加熱されないため、操作が確実で信頼性の高い調理器とすることができるものである。トッププレート上から制御手段までの配線が省け、コストダウンが図れると共に、防汚性、耐久性が向上する調理器とすることができる。
【００８２】
なお、本実施の形態では、安価な静電容量式としたが、技術的には、電界を検出する方式や、電極に替えて、コイルパターンを設け、インダクタンスの微小変化を検出する方式とすることも可能である。
【００８３】
（実施の形態４）
図７は、本発明の第４の実施の形態における調理器の要部断面図である。なお、上記第１から第３の実施の形態における加熱調理器の調理器と同一部分については、同一符号を付してその説明を省略する。
【００８４】
図７において、調理鍋１００を載置するトッププレート１０１と、前記調理鍋１００を加熱する高周波電流を供給するインバータ１０３ａと加熱コイル１０３ｂとからなる加熱手段１０３と、前記調理鍋１００の温度を検知する温度センサ１０５と、トッププレート１０１上面にガラス−金属接合された可動電極群１０６と、トッププレート１０１下面に印刷された固定電極群１０７ａと、遮蔽（ガード）電極群１０７ｂと、静電容量変化検出手段１０８と、前記固定電極１０７ａ群の近傍に設けた磁界センサ１０９と、制御手段１１０とで構成されている。（可動電極群１０６と、固定電極群１０７ａと、遮蔽電極群１０７ｂで、操作スイッチ群を構成している。）
以上のように構成された調理器について、以下その動作、作用を説明する。
【００８５】
使用者が可動電極群１０６の中の一つを押し下げると、押し下げられた可動電極と対向する固定電極間との静電容量の変化分が大きくなり、静電容量変化検出手段１０８は操作されたことを検出する。そして、制御手段１１０へ該当する操作スイッチのオン・オフ状態の信号を出力する。一方、温度センサ１０５は鍋１００の温度を出力し、磁界センサ１０９は可動電極群１０６の近傍に磁性を有する金属体が有るか無いかの情報を出力する。制御手段１１０は、これらの信号を入力して、温度センサ１０５が検知した温度が所定の温度以下で、且つ、操作スイッチ群の近傍に磁性金属体がない時に、加熱手段１０３のオン／オフ、及び、加熱量の制御をする。加熱コイル１０３ｂに、インバータ１０３ａより高周波電流が供給されると、加熱コイル１０３ｂから誘導磁界が発せられ、トッププレート１０１上の鍋１００が誘導加熱される。この誘導加熱によって鍋１００の温度が上昇し、鍋１００内の被加熱物が調理される。
【００８６】
以上のように、本実施の形態では、突起物が少ない概平面状の操作部とすることができると共に、水や調理時の吹きこぼれ物が触れただけでは加熱されず、鍋等の金属体では動作しないため、操作が確実で信頼性の高い調理器とすることができるものである。
【００８７】
なお、加熱調理中に、磁界センサ１０９が磁性金属体を検知した場合に、鍋ズレ等が想定されるので、安全のために加熱を停止するように、制御手段１０５にプログラムしておくことも可能である。また、磁気センサとしては、ホール素子が安価で使い易い。
なお、磁気センサの替わりに、金属の存在を検出する誘導形近接センサ、金属および非金属物体の存在を検出する静電容量形近接センサを用いても良い。（誘導形近接センサは電磁誘導により金属体に発生する渦電流を用いて検出する方式である。静電容量形近接センサは、検出体の接近による電気的な容量の変化を捉える方式である。）
なお、インバータ１０３ａの動作波形による小物検知機能も、操作スイッチ群が使用者の指以外のもので押されたのではないことの判断材料となるのは、当然である。
【００８８】
（実施の形態５）
図５は、本発明の第５の実施の形態における調理器の要部断面図である。なお、上記第１から第４の実施の形態における加熱調理器の調理器と同一部分については、同一符号を付してその説明を省略する。
【００８９】
図８において、前記固定電極群１０７ａの近傍に照度センサ１１１を設けてある。
以上のように構成された調理器について、以下その動作、作用を説明する。
【００９０】
可動電極群１０６の中の一つを押し下げると、押し下げられた可動電極と対向する固定電極間との静電容量の変化分が大きくなり、静電容量変化検出手段１０８は操作されたこ
とを検出する。そして、制御手段１１０へ該当する操作スイッチのオン・オフ状態の信号を出力する。一方、照度センサ１１１は操作スイッチ群の近傍上方の明るさの変化を検知して、制御手段１１０へ出力する。これらの信号を入力して、温度センサ１０５が検知した温度が所定の温度以下で、且つ、照度センサ１１１の検知した明るさが、操作スイッチ群が、鍋１００や、まな板、料理ブックといった使用者の指以外の物で押されたのではないと判断した時に、加熱手段１０３のオン／オフ、及び、加熱量の制御をする。加熱コイル１０３ｂに、インバータ１０３ａより高周波電流が供給されると、加熱コイル１０３ｂから誘導磁界が発せられ、トッププレート１０１上の鍋１００が誘導加熱される。この誘導加熱によって鍋１００の温度が上昇し、鍋１００内の被加熱物が調理される。
【００９１】
以上のように、本実施の形態では、突起物が少ない概平面状の操作部とすることができると共に、水や調理時の吹きこぼれ物が触れただけでは加熱されず、鍋やまな板を置いても誤動作しないため、操作が確実で信頼性の高い調理器とすることができるものである。
【産業上の利用可能性】
【００９２】
以上のように、本発明にかかる調理器は、クリック感を有する操作スイッチを備え、不用意に触れただけでは作動せず、信頼性が高く、且つ、防塵・防水構造が容易に実現できるので、家庭用電化機器のみならず様々な産業用機器等の用途にも適用ができる。
【符号の説明】
【００９３】
５０  トッププレート
５１  操作スイッチ群
５５  固定接点
５６  可動接点
５７，５８  配線
６０  加熱手段
６１  制御手段
６２  固定用金属フレーム（金属フレーム）
８５〜８７  可動電極
８８〜８９  固定電極
９０ａ〜９０ｃ  遮蔽電極
９１  静電容量変化検出回路
【図２】
2011081910.tif 000003
【図３】
2011081910.tif 000004
【図４】
2011081910.tif 000005
【図５】
2011081910.tif 000006
【図６】
2011081910.tif 000007
【図７】
2011081910.tif 000008
【図８】
2011081910.tif 000009
【図１】
2011081910.tif 000010